(57)【要約】      （修正有）【課題】第２搬送ローラが正転時には共通の第１モータにより駆動し、逆転時には別の第２モータにより駆動する。【解決手段】画像記録装置は第１搬送用モータ７１の回転駆動力を反転ローラ４５に伝達可能な第１伝達部３００と、第２搬送用モータ７２の回転駆動力を反転ローラに伝達可能な第２伝達部４００とを備える。第２伝達部は第２搬送用モータの回転駆動力を反転ローラに伝達可能な第３位置と、第２搬送用モータの回転駆動力を反転ローラに伝達しない第４位置との間を移動可能な第２伝達ギヤ２４０を備え、第１伝達部は第１搬送用モータの回転駆動力を反転ローラに伝達可能な第１位置と、第１搬送用モータ７１の回転駆動力を反転ローラに伝達しない第２位置との間を移動可能な第１伝達ギヤ２５０を備える。第１伝達ギヤ及び第２伝達ギヤは、第２搬送用モータの正逆転によって、第１位置と第２位置との間、及び第３位置と第４位置との間をそれぞれ移動する。【選択図】図５
2018171727.tif 000002
【特許請求の範囲】
【請求項１】
被記録媒体を第１搬送向きへ案内する第１搬送路と、
前記第１搬送路において被記録媒体に画像を記録する記録部と、
前記記録部よりも前記第１搬送向きの下流側の分岐位置で前記第１搬送路から分岐され、前記記録部よりも前記第１搬送向きにおける上流側の合流位置で前記第１搬送路と合流するように延びており、被記録媒体を前記分岐位置から前記合流位置に向かう第２搬送向きへ案内する第２搬送路と、
前記合流位置よりも前記第１搬送向きの下流側に設けられた第１搬送ローラと、
前記分岐位置よりも前記第１搬送向きの下流側に設けられた第２搬送ローラと、
第１モータと、
第２モータと、
前記第１モータの駆動力を前記第１搬送ローラ及び前記第２搬送ローラに伝達する第１状態と、前記第１モータの駆動力を前記第１搬送ローラに伝達し、且つ、前記第２搬送ローラには伝達せず、前記第２モータの駆動力を前記第２搬送ローラに伝達する第２状態と、に切換可能な伝達機構と、
被記録媒体の位置を検知する検知部と、
前記第１モータ及び前記第２モータの駆動を制御し、且つ、前記伝達機構を制御する制御部と、を備え、
前記制御部は、
第１の被記録媒体の第１面に画像記録を行った後に第２の被記録媒体の第１面に画像記録を行い、第１面に画像が記録された第１の被記録媒体を前記第２搬送路に搬送した後に第１面に画像が記録された第２の被記録媒体を前記第２搬送路に搬送する連続記録処理において、
前記伝達機構を前記第１状態とし、前記第１搬送ローラ及び前記第２搬送ローラによって第１の被記録媒体を前記第１搬送向きに搬送して、第１面に画像記録を行う第１処理と、
前記第１処理によって前記第１の被記録媒体の前記第１搬送向きにおける上流端が前記分岐位置まで搬送されたことを前記検知部が検知したことを条件として、前記伝達機構を前記第１状態から前記第２状態へ切換え、前記第２搬送ローラによって前記第１の被記録媒体を前記第２搬送向きに搬送し、且つ、前記第１搬送ローラによって第２の被記録媒体を前記第１搬送向きに搬送する、第２処理と、を実行する画像記録装置。
【請求項２】
前記制御部は、
前記第２処理において、前記第２搬送路を搬送される前記第１の被記録媒体の前記第２搬送向きにおける上流端が前記第２搬送ローラを通過したことを前記検知部が検知したことを条件として、前記伝達機構を前記第２状態から前記第１状態に切換える請求項１に記載の画像記録装置。
【請求項３】
前記第２搬送路に設けられ、駆動部によって駆動される第３搬送ローラと、当該第３搬送ローラと対向して設けられ、前記第３搬送ローラと共に被記録媒体を挟持可能な従動ローラと、を更に備え、
前記第２搬送路の前記第２搬送向きにおける長さは、被記録媒体の前記第２搬送向きにおける長さよりも長く、
前記制御部は、
前記第２処理によって前記第２搬送ローラを通過した前記第１の被記録媒体を前記第３搬送ローラ及び前記従動ローラによって挟持した状態で前記第２搬送路に待機させ、且つ、前記第１搬送ローラ及び前記第２搬送ローラによって前記第２の被記録媒体を前記第１搬送向きに搬送して、前記第２の被記録媒体の第１面に画像記録を行う、第３処理を実行する請求項２に記載の画像記録装置。
【請求項４】
前記第１搬送ローラは前記記録部よりも前記第１搬送向きの上流側に位置しており、
前記制御部は、
前記第３処理によって搬送された前記第２の被記録媒体の前記第１搬送向きにおける上流端が前記分岐位置まで搬送されたことを前記検知部が検知したことを条件として、前記伝達機構を前記第１状態から前記第２状態に切換えた後、前記第２の被記録媒体を前記分岐位置に待機させた状態で、前記第１搬送ローラの回転方向を、被記録媒体を前記第１搬送向きと反対向きに搬送させる逆方向とし、前記第３搬送ローラを駆動させて前記第１の被記録媒体を前記逆方向に回転する前記第１搬送ローラに当接させる、第４処理を実行する請求項３に記載の画像記録装置。
【請求項５】
第３モータと、
被記録媒体を収容する収容部と、
前記第３モータによって駆動され、前記収容部に収容される被記録媒体を前記第１搬送ローラまで給紙する給紙ローラと、を更に備え、
前記制御部は、
前記第２処理において、前記第１の被記録媒体の前記第１搬送向きにおける上流端が前記分岐位置まで搬送される間に、前記給紙ローラによって前記第２の被記録媒体を前記第１搬送ローラまで搬送する、請求項４に記載の画像記録装置。
【請求項６】
前記伝達機構は、
前記第２モータが第１回転方向に回転することで前記第１状態から前記第２状態に切換わり、前記第２モータが前記第１回転方向と逆方向の第２回転方向に回転することで前記第２状態から前記第１状態に切換わる請求項１から５のいずれか１項に記載の画像記録装置。
【請求項７】
前記伝達機構は、
第１ギヤを有しており、前記第１ギヤが前記第１モータの駆動力を前記第２搬送ローラに伝達する第１位置と、前記第１ギヤが前記第１モータの駆動力を前記第２搬送ローラに伝達しない第２位置との間を移動可能な第１伝達部と、
前記第２モータの駆動力によって回転する伝達ギヤと、当該伝達ギヤと噛合った状態で前記伝達ギヤの外周面上を転動可能な第２ギヤと、を有し、前記第２ギヤが前記第２モータの駆動力を前記第２搬送ローラに伝達する第３位置と、前記第２ギヤが前記第２モータの駆動力を前記第２搬送ローラに伝達しない第４位置との間を移動可能な第２伝達部と、を備え、
前記第１伝達部は、前記第２モータが前記第１回転方向に回転することで前記第１位置から前記第２位置に移動し、前記第２モータが前記第２回転方向に回転することで前記第２位置から前記第１位置に移動し
前記第２伝達部は、前記第２モータが前記第１回転方向に回転することで前記第４位置から前記第３位置に移動し、前記第２モータが前記第２回転方向に回転することで前記第３位置から前記第４位置に移動する請求項６に記載の画像記録装置。
【請求項８】
前記第２伝達部は、前記第４位置から前記第３位置に移動する際に、前記第１位置に位置する前記第１伝達部に設けられた被当接部に当接することによって、前記第１伝達部を前記第２位置に移動させる当接部を有する請求項７に記載の画像記録装置。
【請求項９】
前記伝達機構は、
前記第１伝達部を前記第２位置から前記第１位置に向けて付勢する付勢部材を、更に備える請求項８に記載の画像記録装置。
【発明の詳細な説明】
【技術分野】
【０００１】
本発明は、被記録媒体に画像を記録する画像記録装置に関する。
【背景技術】
【０００２】
従来、記録用紙などの被記録媒体の両面に画像を記録することができる画像記録装置が知られている（特許文献１参照）。この画像記録装置では、給紙トレイから送り出された被記録媒体は、第１搬送ローラによって搬送方向に搬送されつつ、記録部によって表面に画像が記録される。記録部によって表面に画像が記録された被記録媒体は、記録部の搬送方向下流側に設けられた第２搬送ローラに送られる。第２搬送ローラは、正転することによって被記録媒体を排紙にトレイ排出し、逆転することによって、記録部と第２搬送ローラとの間に設けられた分岐口を介して反転搬送路に被記録媒体を搬送可能である。反転搬送路に搬送された被記録媒体は、記録部の搬送方向上流側に搬送され、表面と同様に、第１搬送ローラによって搬送方向に搬送されつつ、裏面の画像記録が行われる。こうして両面に画像が記録された被記録媒体は、第２搬送ローラによって排紙トレイに排出される。
【０００３】
また、従来から、複数枚の被記録媒体に両面記録を実行する場合に、表面に画像が記録された先行する被記録媒体を第２搬送ローラによって反転搬送路に搬送しながら、後続する被記録媒体を第１搬送ローラによって搬送方向に搬送すること（以下、同時処理とも表記する。）が知られている。これにより、先行する被記録媒体の反転搬送路への搬送と、後続する被記録媒体の画像記録とが同時に行えるので、両面記録を高速化することができる。
【先行技術文献】
【特許文献】
【０００４】
【特許文献１】特開２０１４−６１９８４号公報
【発明の概要】
【発明が解決しようとする課題】
【０００５】
しかしながら、特許文献１に記載の画像記録装置において、上述した同時処理を実行しようとすると、特許文献１の第１搬送ローラ及び第２搬送ローラは、共通の駆動モータから駆動伝達されて回転する構成のため、各搬送ローラを回転させる際、駆動モータの駆動のタイミングに制約が生じてしまう。そのため、同時処理において、両面記録の高速化を最大限に実現することができない。
【０００６】
この問題を解消するための手段として、第２搬送ローラ専用の駆動モータを設けて、第２搬送ローラを第１搬送ローラの回転に関係なく駆動できるようにすることが考えられるが、第２搬送ローラ専用の駆動モータを設けた場合、以下のような問題が発生する。第１搬送ローラと第２搬送ローラを別々の駆動モータで駆動させる場合、モータの経年劣化によって、モータ間において回転速度に差が生じてしまう。そのため、第１搬送ローラ及び第２搬送ローラによって被記録媒体を搬送する場合、ローラ間において被記録媒体の搬送量に差が生じる。すると、記録部による画像記録において被記録媒体の搬送量が所望の搬送量とずれてしまい、記録部によって記録される画像が乱れる虞がある。
【０００７】
本発明は、上記事情に鑑みてなされたものであり、その目的は、第１搬送ローラ及び第２搬送ローラによって被記録媒体を搬送する際は、第２搬送ローラを第１搬送ローラと共通の第１モータにより駆動させ、第２搬送ローラによって被記録媒体を反転搬送路に搬送する際は、第２搬送ローラを第１駆動モータとは別の第２モータにより駆動させることができる画像記録装置を提供することである。
【課題を解決するための手段】
【０００８】
（１）  本発明の一形態に係る画像記録装置は、被記録媒体を第１搬送向きへ案内する第１搬送路と、前記第１搬送路において被記録媒体に画像を記録する記録部と、前記記録部よりも前記第１搬送向きの下流側の分岐位置で前記第１搬送路から分岐され、前記記録部よりも前記第１搬送向きにおける上流側の合流位置で前記第１搬送路と合流するように延びており、被記録媒体を前記分岐位置から前記合流位置に向かう第２搬送向きへ案内する第２搬送路と、前記合流位置よりも前記第１搬送向きの下流側に設けられた第１搬送ローラと、前記分岐位置よりも前記第１搬送向きの下流側に設けられた第２搬送ローラと、第１モータと、第２モータと、前記第１モータの駆動力を前記第１搬送ローラ及び前記第２搬送ローラに伝達する第１状態と、前記第１モータの駆動力を前記第１搬送ローラに伝達し、且つ、前記第２搬送ローラには伝達せず、前記第２モータの駆動力を前記第２搬送ローラに伝達する第２状態と、に切換可能な伝達機構と、被記録媒体の位置を検知する検知部と、前記第１モータ及び前記第２モータの駆動を制御し、且つ、前記伝達機構を制御する制御部と、を備える。そして、前記制御部は、第１の被記録媒体の第１面に画像記録を行った後に第２の被記録媒体の第１面に画像記録を行い、第１面に画像が記録された第１の被記録媒体を前記第２搬送路に搬送した後に第１面に画像が記録された第２の被記録媒体を前記第２搬送路に搬送する連続記録処理において、前記伝達機構を前記第１状態とし、前記第１搬送ローラ及び前記第２搬送ローラによって第１の被記録媒体を前記第１搬送向きに搬送して、第１面に画像記録を行う第１処理を実行する。また、前記第１処理によって前記第１の被記録媒体の前記第１搬送向きにおける上流端が前記分岐位置まで搬送されたことを前記検知部が検知したことを条件として、前記伝達機構を前記第１状態から前記第２状態へ切換え、前記第２搬送ローラによって前記第１の被記録媒体を前記第２搬送向きに搬送し、且つ、前記第１搬送ローラによって第２の被記録媒体を前記第１搬送向きに搬送する、第２処理と、を実行する。
【０００９】
本構成によれば、第１の被記録媒体を第２搬送向きに搬送し、且つ、第２の被記録媒体を第１搬送向きに搬送する第２処理を実行する場合は、第１搬送ローラを第１モータによって駆動させ、第２搬送ローラを第２モータによって駆動させるため、第１搬送ローラ及び第２搬送ローラを駆動するタイミングに制約が生じることなく、連続記録処理を行うことができる。また、第１搬送ローラ及び第２搬送ローラによって第１の被記録媒体を第１搬送向きに搬送して第１面に画像記録を行う第１処理を実行する場合は、第１搬送ローラ及び第２搬送ローラは第１モータの駆動力が伝達されて駆動するため、第１搬送ローラ及び第２搬送ローラの間において被記録媒体の搬送量にずれが生じることを抑制し、第１の被記録媒体に記録される画像の乱れを抑制することができる。
【００１０】
（２）  好ましくは、前記制御部は、前記第２処理において、前記第２搬送路を搬送される前記第１の被記録媒体の前記第２搬送向きにおける上流端が前記第２搬送ローラを通過したことを前記検知部が検知したことを条件として、前記伝達機構を前記第２状態から前記第１状態に切換える。
【００１１】
本構成によれば、第１の被記録媒体が第２搬送ローラを通過する伝達機構を第２状態から第１状態に切換える。これにより、第１の被記録媒体に後続する被記録媒体を第１搬送ローラ及び第２搬送ローラによって第１搬送向きに搬送するとき、第１搬送ローラと第２搬送ローラを、第１モータよって駆動させることができる。
【００１２】
（３）  好ましくは、本発明の一形態に係る画像記録装置は、前記第２搬送路に設けられ、駆動部によって駆動される第３搬送ローラと、当該第３搬送ローラと対向して設けられ、前記第３搬送ローラと共に被記録媒体を挟持可能な従動ローラと、を更に備える。また、前記第２搬送路の前記第２搬送向きにおける長さは、被記録媒体の前記第２搬送向きにおける長さよりも長い。そして、前記制御部は、前記第２処理によって前記第２搬送ローラを通過した前記第１の被記録媒体を前記第３搬送ローラ及び前記従動ローラによって挟持した状態で前記第２搬送路に待機させ、且つ、前記第１搬送ローラ及び前記第２搬送ローラによって前記第２の被記録媒体を前記第１搬送向きに搬送して、前記第２の被記録媒体の第１面に画像記録を行う、第３処理を実行する。
【００１３】
本構成によれば、第２搬送路の第２搬送向きにおける長さが、被記録媒体の第２搬送向きにおける長さよりも長い。これにより、第１の被記録媒体を第２搬送路に待機させている間に、第２の被記録媒体の第１面への画像記録を行う、第３処理を実行することができる。
【００１４】
（４）  好ましくは、前記第１搬送ローラは前記記録部よりも前記第１搬送向きの上流側に位置しており、前記制御部は、前記第３処理によって搬送された前記第２の被記録媒体の前記第１搬送向きにおける上流端が前記分岐位置まで搬送されたことを前記検知部が検知したことを条件として、前記伝達機構を前記第１状態から前記第２状態に切換えた後、前記第２の被記録媒体を前記分岐位置に待機させた状態で、前記第１搬送ローラの回転方向を、被記録媒体を前記第１搬送向きと反対向きに搬送させる逆方向とし、前記第３搬送ローラを駆動させて前記第１の被記録媒体を前記逆方向に回転する前記第１搬送ローラに当接させる、第４処理を実行する。
【００１５】
本構成によれば、第１の被記録媒体を逆方向に回転する第１搬送ローラに当接させることができる。これにより、記録部によって第２面を記録する前に第１の被記録媒体の斜行を補正することができる。また、第１の被記録媒体を第１搬送ローラに当接させている間、第２の被記録媒体は分岐位置で待機しているため、第２の被記録媒体が第２搬送向きに搬送されて、第１の被記録媒体と接触してジャムが発生することを防止できる。
【００１６】
（５）  好ましくは、本発明の一形態に係る画像記録装置は、第３モータと、被記録媒体を収容する収容部と、前記第３モータによって駆動され、前記収容部に収容される被記録媒体を前記第１搬送ローラまで給紙する給紙ローラと、を更に備える。そして、前記制御部は、前記第２処理において、前記第１の被記録媒体の前記第１搬送向きにおける上流端が前記分岐位置まで搬送される間に、前記給紙ローラによって前記第２の被記録媒体を前記第１搬送ローラまで搬送する。
【００１７】
本構成によれば、第１の被記録媒体の第１搬送向きにおける上流端が分岐位置に到達したときには、第２の被記録媒体が第１搬送ローラまで給紙されているので、連続記録処理を高速化することができる。
【００１８】
（６）  好ましくは、前記伝達機構は、前記第２モータが第１回転方向に回転することで前記第１状態から前記第２状態に切換わり、前記第２モータが前記第１回転方向と逆方向の第２回転方向に回転することで前記第２状態から前記第１状態に切換わる。
【００１９】
本構成によれば、伝達機構を第１状態と第２状態とに切換えるための専用の駆動源を設ける必要がなく、第２モータの回転方向を切換えることによって、伝達機構を第１状態と第２状態とに切換えることができる。これにより、部品点数の削減、低コスト化、装置の小型化が可能である。
【００２０】
（７）  好ましくは、前記伝達機構は、第１ギヤを有しており、前記第１ギヤが前記第１モータの駆動力を前記第２搬送ローラに伝達する第１位置と、前記第１ギヤが前記第１モータの駆動力を前記第２搬送ローラに伝達しない第２位置との間を移動可能な第１伝達部と、前記第２モータの駆動力によって回転する伝達ギヤと、当該伝達ギヤと噛合った状態で前記伝達ギヤの外周面上を転動可能な第２ギヤと、を有し、前記第２ギヤが前記第２モータの駆動力を前記第２搬送ローラに伝達する第３位置と、前記第２ギヤが前記第２モータの駆動力を前記第２搬送ローラに伝達しない第４位置との間を移動可能な第２伝達部と、を備える。そして、前記第１伝達部は、前記第２モータが前記第１回転方向に回転することで前記第１位置から前記第２位置に移動し、前記第２モータが前記第２回転方向に回転することで前記第２位置から前記第１位置に移動し、前記第２伝達部は、前記第２モータが前記第１回転方向に回転することで前記第４位置から前記第３位置に移動し、前記第２モータが前記第２回転方向に回転することで前記第３位置から前記第４位置に移動する。
【００２１】
本構成によれば、第１ギヤが、第２モータを回転させることによって第１位置と第２位置との間を移動し、第２ギヤが、第２モータを回転させることによって第３位置と第４位置との間を移動する。そして、第１ギヤ及び第２ギヤが移動することによって、第１モータの駆動力を第２搬送ローラに伝達可能な状態と、第２モータの駆動力を第２搬送ローラに伝達可能な状態とに切換える。これにより、第２モータの回転方向を切換えることによって、伝達機構を第１状態と第２状態とに切換えることができる。
【００２２】
（８）  好ましくは、前記第２伝達部は、前記第４位置から前記第３位置に移動する際に、前記第１位置に位置する前記第１伝達部に設けられた被当接部に当接することによって、前記第１伝達部を前記第２位置に移動させる当接部を有する。
【００２３】
本構成によれば、当接部が被当接部に当接することによって、第２伝達部の第４位置から第３位置への移動に連動して、第１伝達部が第１位置から第２位置に移動することができる。
【００２４】
（９）  好ましくは、前記伝達機構は、前記第１伝達部を前記第２位置から前記第１位置に向けて付勢する付勢部材を、更に備える。
【００２５】
本構成によれば、付勢部材の付勢力によって第１伝達部を確実に第２位置から第１位置に切換えることができる。
【発明の効果】
【００２６】
本発明によれば、第１処理を実行するときは、第２搬送ローラが第１搬送ローラと共通の第１モータにより駆動するため、被記録媒体に記録される画像の乱れを抑制できる。また、第２処理を実行するときは、第２搬送ローラは第２モータによって駆動するため、第２搬送ローラを駆動するタイミングに制約が生じることなく、連続記録処理を実行できる。
【図面の簡単な説明】
【００２７】
【図１】図１は、複合機１０の斜視図である。
【図２】図２は、プリンタ部１１の内部構造を模式的に示す縦断面図である。
【図３】図３は、制御部１３０の構成を示すブロック図である。
【図４】図４は、第１伝達部３００及び第２伝達部４００の構成を模式的に示す模式図である。
【図５】図５は、第１伝達ギヤ２５０及び第２伝達ギヤ２４０の移動について説明するための模式図である。
【図６】図６は、連続両面記録処理における、搬送ローラ６０、排紙ローラ６２、及び反転ローラ４５の駆動伝達状態を表す模式図である。
【図７】図７は、連続両面記録処理における第１用紙Ｐ１と第２用紙Ｐ２の状態を表す模式図である。
【図８】図８は、連続両面記録処理における第１用紙Ｐ１と第２用紙Ｐ２の状態を表す模式図である。
【図９】図９は、連続両面記録処理における第１用紙Ｐ１と第２用紙Ｐ２の状態を表す模式図である。
【図１０】図１０は、連続両面記録処理における第１用紙Ｐ１と第２用紙Ｐ２の状態を表す模式図である。
【図１１】図１１は、連続両面記録処理における第１用紙Ｐ１と第２用紙Ｐ２の状態を表す模式図である。
【図１２】図１２は、連続両面記録処理における第１用紙Ｐ１と第２用紙Ｐ２の状態を表す模式図である。
【図１３】図１３は、連続両面記録処理における第１用紙Ｐ１と第２用紙Ｐ２の状態を表す模式図である。
【図１４】図１４は、連続両面記録処理における第１用紙Ｐ１と第２用紙Ｐ２の状態を表す模式図である。
【図１５】図１５は、連続両面記録処理における第１用紙Ｐ１、第２用紙Ｐ２、及び第３用紙Ｐ３の状態を表す模式図である。
【図１６】図１６は、連続両面記録処理について説明するためのフローチャートである。
【図１７】図１７は、連続両面記録処理について説明するためのフローチャートである。
【図１８】図１８は、連続両面記録処理について説明するためのフローチャートである。
【図１９】図１９は、変形例１における第１伝達部３００及び第２伝達部４００について説明するための模式図である。
【図２０】図２０は、変形例２における第１伝達部３００及び第２伝達部４００について説明するための模式図である。
【発明を実施するための形態】
【００２８】
以下、適宜図面を参照して本発明の実施形態について説明する。なお、以下に説明される実施形態は本発明の一例に過ぎず、本発明の要旨を変更しない範囲で、本発明の実施形態を適宜変更できることは言うまでもない。また、以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。また、以下の説明において、正転とは、時計回りの方向に回転することを指し、逆転とは、反時計回りの方向に回転することを指す。
【００２９】
［複合機１０］
図１に示されるように、複合機１０は、概ね薄型の直方体に形成されており、下部にインクジェット記録方式のプリンタ部１１が設けられている。複合機１０は、ファクシミリ機能及びプリント機能などの各種の機能を有している。プリント機能として、記録用紙の両面に画像を記録する両面画像記録機能を有している。
【００３０】
プリンタ部１１は、正面に開口１３が形成された筐体１４を有している。また、各種サイズの記録用紙を載置可能な給紙トレイ２０及び排紙トレイ２１（図２参照）が、開口１３から前後方向８に挿抜可能である。
【００３１】
［操作部１７］
図１に示されるように、複合機１０の正面上部には、ボタンなどを有する操作部１７が設けられている。ユーザーが操作部１７を操作することによって印刷に必要な情報が入力されることで、複合機１０は、入力情報に基づいて画像記録を実行する。なお、複合機１０による画像記録は、通信回線（有線、無線を問わない）を通じて複合機１０に接続された外部機器からの入力情報に基づいて実行されてもよい。
【００３２】
［給紙部１５］
図２に示されるように、給紙部１５は、給紙トレイ２０の上方であって記録部２４の下方に設けられている。給紙部１５は、給紙ローラ２５、給紙アーム２６、及び駆動伝達部２７を備えている。給紙ローラ２５は、給紙アーム２６の先端部において回転可能に支持されている。給紙アーム２６は、基端部に設けられた軸２８を中心として、矢印２９の方向に回動する。これにより、給紙ローラ２５は、給紙トレイ２０に載置された記録用紙に当接可能である。
【００３３】
給紙ローラ２５は、駆動伝達部２７によって、給紙用モータ７０（図３参照）の正転の駆動力が伝達されて回転する。つまり、給紙ローラ２５は、給紙用モータ７０が正転すると、駆動力が伝達されて回転する。一方、給紙用モータ７０が逆転すると、給紙ローラ２５に駆動力は伝達されず、回転しない構成となっている。給紙ローラ２５は、給紙トレイ２０上に積載された記録用紙のうち、一番上側の記録用紙に当接された状態で、当該記録用紙を以下で説明する湾曲路６５Ａへ向かって給紙する。なお、給紙用モータ７０は、後述する両面搬送ローラ６８へも駆動力を付与する。
【００３４】
［第１搬送路６５］
図２に示されるように、プリンタ部１１の内部には、給紙トレイ２０の先端（後方側の端部）から記録部２４を経て排紙トレイ２１に至る第１搬送路６５が形成されている。第１搬送路６５は、給紙トレイ２０の先端から搬送ローラ６０に至る間に形成された湾曲路６５Ａと、搬送ローラ６０から排紙トレイ２１に至る間に形成された直線路６５Ｂとに区分される。
【００３５】
湾曲路６５Ａは、給紙トレイ２０に設けられた分離傾斜部２２の上端付近から記録部２４に渡って延設された湾曲状の通路である。湾曲路６５Ａは、プリンタ部１１の内部側を中心とする概ね円弧形状に形成されている。給紙ローラ２５によって給紙トレイ２０から給紙される記録用紙は、湾曲路６５Ａを第１搬送向き３３（図２において一点鎖線で表される矢印の向き）に沿って湾曲されつつ、搬送ローラ６０及びピンチローラ６１による記録用紙の挟持位置に案内される。湾曲路６５Ａは、所定間隔を隔てて互いに対向する外側ガイド部材１８と内側ガイド部材１９とによって形成されている。
【００３６】
直線路６５Ｂは、搬送ローラ６０及びピンチローラ６１による記録用紙の挟持位置から排紙トレイ２１に渡って延設された直線状の通路である。記録用紙は、直線路６５Ｂを第１搬送向き３３に沿って案内される。記録部２４が設けられている箇所において、直線路６５Ｂの一部は、記録用紙を支持可能なプラテン４２によって形成されている。また、直線路６５Ｂは、記録部２４が設けられていない箇所において、所定間隔を隔てて互いに対向する上側ガイド部材８２及び下側ガイド部材８３によって形成されている。
【００３７】
また、直線路６５Ｂは、記録部２４よりも第１搬送向き３３の下流側、且つ後述する排紙ローラ６２よりも第１搬送向き３３の下流側において、分岐部３６を介して後述する第２搬送路６７と接続されている。直線路６５Ｂを搬送される記録用紙は、両面画像記録の際、第１搬送向き３３における上流端が、分岐部３６まで搬送された後、反転ローラ４５によって第１搬送向き３３とは反対向きにスイッチバックされ、第２搬送路６７へ向けて搬送される。
【００３８】
［記録部２４］
図２に示されるように、記録部２４は、直線路６５Ｂにおいて、搬送ローラ６０の第１搬送向き３３の下流側に設けられている。記録部２４は、記録ヘッド３８を搭載し、第１搬送向き３３と直交し、且つプラテン４２に支持される記録用紙の画像記録面に沿った左右方向９へ往復移動可能なキャリッジ４０を備えている。
【００３９】
キャリッジ４０は、例えば、プリンタ部１１の内部に左右方向９に延設された２本のガイドレール（不図示）によって支持されている。２本のガイドレールは、前後方向８に所定間隔を空けて配置されている。キャリッジ４０は、２本のガイドレールを跨ぐようにして配置されている。これにより、キャリッジ４０は、２本のガイドレール上を左右方向９に摺動可能である。ガイドレールの上面に、周知のベルト駆動機構（不図示）が配設されている。ベルト駆動機構を構成するベルトは、キャリッジ４０と連結されている。キャリッジ駆動モータ１０３（図３参照）からベルト駆動機構に駆動力が伝達されることにより、キャリッジ４０は左右方向９に摺動される。つまり、キャリッジ駆動モータ１０３は、キャリッジ４０へ駆動力を付与する。
【００４０】
図２に示されるように、記録ヘッド３８は、当該記録ヘッド３８がプラテン４２と対向するようにして、キャリッジ４０に備えられている。記録ヘッド３８には、インクカートリッジ（不図示）からインクチューブ（不図示）を通じてシアン（Ｃ）・マゼンダ（Ｍ）・イエロー（Ｙ）・ブラック（Ｂｋ）の各色インクが供給される。記録ヘッド３８の下面側のノズル面には、複数のノズル（不図示）が形成されている。各ノズルは、ＣＭＹＢｋの各色のインクごとに設けられている。各ノズルから各色のインクが微小なインク滴として吐出される。
【００４１】
キャリッジ４０は、記録用紙がプラテン４２上に到達すると、左右方向９へ往復移動を開始する。これにより、記録ヘッド３８が、記録部２４の下方に設けられたプラテン４２上を搬送される記録用紙に対して左右方向９に走査される。また、記録ヘッド３８は記録用紙に対してインク滴を吐出する。これにより、記録用紙の上面（すなわち、画像記録面）に画像が記録される。
【００４２】
［搬送ローラ６０］
図２に示されるように、搬送ローラ６０及びピンチローラ６１が、第１搬送路６５において、外側ガイド部材１８及び内側ガイド部材１９と記録部２４との間に設けられている。ピンチローラ６１は、搬送ローラ６０の下方に設けられており、図示しないバネなどの弾性部材によって搬送ローラ６０のローラ面に圧接されている。搬送ローラ６０及びピンチローラ６１は、給紙ローラ２５によって湾曲路６５Ａを給紙されてきた記録用紙を挟持して、直線路６５Ｂに沿って第１搬送向き３３に搬送する。これにより、当該記録用紙は、プラテン４２上へ送られる。
【００４３】
［排紙ローラ６２］
直線路６５Ｂにおいて、記録部２４と上側ガイド部材８２及び下側ガイド部材８３との間には、排紙ローラ６２及び拍車６３が設けられている。拍車６３は、排紙ローラ６２の上方に設けられており、図示しないバネなどの弾性部材によって排紙ローラ６２のローラ面に圧接されている。排紙ローラ６２及び拍車６３は、記録部２４で画像を記録された記録用紙を挟持して第１搬送向き３３の下流側に向かって搬送する。
【００４４】
搬送ローラ６０及び排紙ローラ６２は、第１搬送用モータ７１（図３参照）から、後述する第１伝達部３００を介して正逆転方向の回転駆動力が伝達されて回転される。つまり、第１搬送用モータ７１は、搬送ローラ６０及び排紙ローラ６２へ駆動力を付与する。第１搬送用モータ７１が正転するとき、搬送ローラ６０は逆転し、排紙ローラ６２は正転する。一方、第１搬送用モータ７１が逆転するとき、搬送ローラ６０は正転し、排紙ローラ６２は逆転する。このように、第１搬送用モータ７１の正転の回転駆動力が伝達されることにより、搬送ローラ６０及び排紙ローラ６２は、記録用紙を第１搬送向き３３に搬送する。
【００４５】
［反転ローラ４５］
図２に示されるように、直線路６５Ｂにおいて、排紙ローラ６２よりも第１搬送向き３３の下流側には、反転ローラ４５及び拍車４６が設けられている。拍車４６は、反転ローラ４５の上方に設けられており、図示しないバネなどの弾性部材によって反転ローラ４５のローラ面に圧接されている。
【００４６】
反転ローラ４５は、後述する第１伝達部３００及び第２伝達部４００によって、第１搬送用モータ７１及び排紙ローラ７２から回転駆動力が選択的に伝達されて正転または逆転する。第１搬送用モータ７１の回転駆動力が伝達される状態では、第１搬送用モータ７１が正転するとき、反転ローラ４５は正転し、第１搬送用モータ７１が逆転するとき、反転ローラ４５は逆転する。一方、第２搬送用モータ７２の回転駆動力が伝達される状態では、第２搬送用モータ７２の正転の駆動力のみが伝達され、反転ローラ４５は逆転する。
【００４７】
反転ローラ４５は、正転することにより、記録用紙を第１搬送向き３３に搬送する。これにより、記録用紙は、反転ローラ４５及び拍車４６に挟持されて第１搬送向き３３の下流側に搬送され、記録部２４による画像記録、あるいは排紙トレイ２１への排紙などが行われる。一方、両面記録が行われる場合、記録用紙の第１搬送向き３３の上流端が分岐部３６まで搬送されると、反転ローラ４５の回転方向が正転から逆転へ切換えられる。これにより、記録用紙は、第１搬送向き３３と逆向きに搬送され、以下で説明する経路切換部４１によって第２搬送路６７へ向けて搬送される。
【００４８】
［経路切換部４１］
図２に示されるように、経路切換部４１は、直線路６５Ｂにおいて、排紙ローラ６２よりも第１搬送向き３３の下流側、且つ反転ローラ４５よりも第１搬送向き３３の上流側に設けられている。経路切換部４１は、補助ローラ４７、４８、フラップ４９、及び軸８７で構成されている。
【００４９】
経路切換部４１の軸８７は、プリンタ部１１のフレームなどに設けられている。フラップ４９は、軸８７から概ね第１搬送向き３３の下流側に延出されており、軸８７に回動可能に軸支されている。補助ローラ４７及び補助ローラ４８は、フラップ４９に軸支されている。なお、補助ローラ４７、４８のローラ面は、拍車６３及び拍車４６と同様に拍車状に形成されている。
【００５０】
フラップ４９は、姿勢変化可能に構成されており、下側ガイド部材８３よりも上方に位置する排出姿勢（図２に破線で示される姿勢）と、延出端部４９Ａが分岐部３６よりも下方へ進入する反転姿勢（図２に実線で示される姿勢）との間で回動する。フラップ４９は、通常状態において自重によって反転姿勢となり、直線路６５Ｂを搬送される記録用紙に持ち上げられることによって回動し、排出姿勢に姿勢変化する。また、フラップ４９は、記録用紙の後端が補助ローラ４７を通過すると、自重によって回動して排出姿勢から反転姿勢に姿勢変化する。この状態において、反転ローラ４５の正転が継続されると、記録用紙は排紙トレイ２１に排紙される。一方、反転ローラ４５の回転方向が正転から逆転に切換えられると、記録用紙は反転姿勢にあるフラップ４９によって案内され、第２搬送路６７に向けて搬送される。なお、フラップ４９は、モータなどによって回動する構成としてもよい。
【００５１】
［第２搬送路６７］
図２に示されるように、第２搬送路６７は、分岐部３６から分岐され、記録部２４の下側且つ給紙部１５の上側を通って、第１搬送路６５における記録部よりも第１搬送向き３３の上流側の合流部３７で湾曲路６５Ａと合流するように延びた経路である。記録用紙は、第２搬送路６７を第２搬送向き３４に案内される。ここで、第２搬送向き３４は、第２搬送路６７を分岐部３６から合流部３７に向かう向きで、図２における矢印付きの二点鎖線で示される向きを指す。第２搬送路６７は、上側を第２ガイド部材３２によって形成されており、下側を第１ガイド部材３１によって形成されている。本実施形態では、第２搬送路６７の第２搬送向き３４における長さは、複合機１０において印刷可能なサイズのうち、最も大きなサイズの記録用紙の第２搬送向き３４における長さよりも長くなるように構成されている。最も大きなサイズとは、例えば、給紙トレイ２０によって支持可能な最大サイズの記録用紙である。
【００５２】
［両面搬送ローラ６８］
図２に示されるように、第２搬送路６７において、両面搬送ローラ６８及び従動ローラ６９が設けられている。両面搬送ローラ６８は、第２搬送路６７において、従動ローラ６９の下方で、且つ従動ローラ６９に対向する位置に配置されている。両面搬送ローラ６８は、図示しない駆動伝達部によって、給紙用モータ７０（図３参照）の逆転の回転駆動力が伝達されて逆転する。つまり、両面搬送ローラ４５は、給紙用モータ７０が正転するときは回転駆動力が伝達されず、回転しない。一方、給紙用モータ７０が逆転するときは、回転駆動力が伝達されて逆転する。これにより、反転ローラ４５によって第２搬送路６７に搬送されてきた記録用紙が両面搬送ローラ６８及び従動ローラ６９との間に挟持されると、両面搬送ローラ６８は、記録用紙を第２搬送路６７に沿って第２搬送向き３４に搬送する。これにより、合流部３７を介して湾曲路６５Ａへ搬送された記録用紙は、表裏が反転された状態となる。
【００５３】
［用紙検知センサ１２０］
図２に示されるように、プリンタ部１１は、湾曲路６５Ａの所定位置に、用紙検知センサ１２０を備えている。用紙検知センサ１２０は、所定位置における記録用紙の有無を検知し、検知結果に応じた信号（検知信号）を出力する。例えば、用紙検知センサ１２０は、記録用紙の一部が用紙検知センサ１２０を通過しているときにＨｉｇｈレベル信号を出力し、記録用紙が用紙検知センサ１２０を通過していないときにＬｏｗレベル信号を出力する。
【００５４】
用紙検知センサ１２０は、例えば、検出子１１２Ａ、１１２Ｂを有する回転体１１２と、発光素子（例えば発光ダイオード）及び当該発光素子から出力された光を受光する受光素子（例えばフォトトランジスタ）を有するフォトインタラプタ等の光センサ１１１とによって構成されている。回転体１１２は、軸１１３を中心に回転可能に設けられている。軸１１３は、内側ガイド部材１９に取り付けられている。
【００５５】
第１搬送路６５に沿って搬送される記録用紙の先端（第１搬送向き３３の下流側の端部）が回転体１１２の検出子１１２Ａに当接して検出子１１２Ａを押すと、回転体１１２の検出子１１２Ｂは、発光素子と受光素子との間の光路から外れる。そのため、当該光路に光が通る。このとき、受光素子はＨｉｇｈレベル信号を出力する。一方、第１搬送路６５を搬送される記録用紙の後端（第１搬送向き３３の上流側の端部）が回転体１１２の検出子１１２Ａを通過すると、回転体１１２は図２に示される状態に戻る。すると、回転体１１２の検出子１１２Ｂは、発光素子と受光素子との間の光路に進入して、当該光路を通る光を遮断する。このとき、受光素子はＬｏｗレベル信号を出力する。光センサ１１１は、受光素子が受光した光の強度に応じたアナログの電気信号を検知信号として出力する。複合機１０の全体動作を制御する制御部１３０（図３参照）は、光センサ１１１から出力された電気信号の違いに基づいて、所定位置における記録用紙の有無を検出する。
【００５６】
［第１ロータリーエンコーダ７３、第２ロータリーエンコーダ７５、第３ロータリーエンコーダ７６］
図３に示されるように、複合機１０は、第１ロータリーエンコーダ７３を備えている。第１ロータリーエンコーダ７３は、第１搬送用モータ７１の回転軸（不図示）に取り付けられており、当該軸と一体に回転する周知のエンコーダディスク（不図示）と、周知の光センサ（不図示）とで構成されている。エンコーダディスクには、その回転中心と同心の円周方向に、光を透過する透過部と光を透過しない非透過部とが等ピッチで交互に複数配置されたパターン（不図示）が形成されている。光センサは、エンコーダディスクのうち、パターンが形成されている位置と対向する位置に設けられている。エンコーダディスクが第１搬送用モータ７１の回転軸と共に回転すると、エンコーダディスクに形成されたパターンによってパルス信号が光センサによって生成される。生成されたパルス信号は、光センサから制御部１３０へと出力される。なお、第２ロータリーエンコーダ７５及び第３ロータリーエンコーダ７６の構成については、上述した第１ロータリーエンコーダ７３の構成と同様であるため省略する。本実施形態では、第２搬送用モータ７２の回転軸に第２ロータリーエンコーダ７５が取付けられ、給紙用モータ７０の回転軸に第３ロータリーエンコーダ７６が取付けられる。
【００５７】
［制御部１３０］
図３に示されるように、制御部１３０は、複合機１０の全体動作を制御する。制御部１３０は、ＣＰＵ１３１、ＲＯＭ１３２、ＲＡＭ１３３、ＥＥＰＲＯＭ１３４、及びＡＳＩＣ１３５を主とするマイクロコンピュータとして構成されている。これらは内部バス１３７によって接続されている。
【００５８】
ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記憶する記憶領域、或いはデータ処理の作業領域として使用される。ＥＥＰＲＯＭ１３４には、電源オフ後も保持すべき設定やフラグ等が格納される。
【００５９】
ＡＳＩＣ１３５には、給紙用モータ７０、キャリッジ駆動モータ１０３、第１搬送用モータ７１、及び第２搬送用モータ７２が接続されている。各モータを駆動させるための駆動信号が、ＣＰＵ１３１から所定のモータに応じた駆動回路に入力されると、駆動信号に応じた駆動電流が駆動回路から対応するモータへ出力される。これにより、対応するモータが所定の回転速度で正転または逆転する。つまり、制御部１３０は、給紙用モータ７０、キャリッジ駆動モータ１０３、第１搬送用モータ７１、及び第２搬送用モータ７２の駆動をそれぞれ制御する。
【００６０】
また、ＡＳＩＣ１３５には、第１ロータリーエンコーダ７３、第２ロータリーエンコーダ７５、及び第３ロータリーエンコーダ７６の光センサから出力されるパルス信号が入力される。制御部１３０は、光センサからのパルス信号のエッジ数をカウントすることで、第１搬送用モータ７１、第２搬送用モータ７２、及び給紙用モータ７０の回転量を算出する。つまり、制御部１３０は、カウントするパルス信号のエッジ数が、目標回転量を示すエッジ数に到達したか否かの判断をし、カウントしたパルス信号のエッジ数が目標回転量に到達したら、給紙用モータ７０、第１搬送用モータ７１、及び第２搬送用モータ７２の回転を停止するなどのモータ回転制御を行う。制御部１３０は、算出した各モータの回転量から記録用紙の搬送量を算出し、算出した搬送量を基に記録用紙がどの位置に位置しているのかを判断する。このように、制御部１３０は、各モータによって駆動される各ローラの回転を制御することで、記録用紙の搬送を制御する。
【００６１】
また、ＡＳＩＣ１３５には、用紙検知センサ１２０の光センサ１１１が接続されている。光センサ１１１から出力された電気信号は、制御部１３０に入力される。制御部１３０は、入力された電気信号の電気的レベル（電圧値または電流値）が所定値以上であるか否かを判断する。制御部１３０は、入力された電気信号の電気的レベルが、所定値以上である場合にＨｉｇｈレベル信号と判断し、所定値未満の場合にＬｏｗレベル信号と判断する。制御部１３０は、入力された電気信号の電気的レベルがＨｉｇｈレベル（つまり、用紙検知センサ１２０がＯＮ）の場合、記録用紙の先端が回転体１１２を通過した後であって、記録用紙の後端が回転体１１２を通過する前であると判断する。一方、制御部１３０は、入力された電気信号の電気的レベルがＬｏｗレベル（つまり、用紙検知センサ１２０がＯＦＦ）の場合、記録用紙の先端が回転体１１２に到達する前の状態、或いは記録用紙の後端が回転体１１２を通過した後の状態であると判断する。
【００６２】
［第１伝達部３００］
図４に示されるように、搬送ローラ６０、排紙ローラ６２、及び反転ローラ４５は、第１伝達部３００によって第１搬送用モータ７１の回転駆動力が伝達される。第１伝達部３００は、複数のギヤ２８０、ギヤ２９０、ギヤ２９０と噛合う第１伝達ギヤ２５０、第１伝達ギヤ２５０の回転軸２５５と連結する第１移動部材３２０、及び、コイルバネ３３０から構成される。複数のギヤ２８０は、搬送ローラ６０の回転軸に軸支されるギヤ７１、排紙ローラ６２の回転軸に軸支されるギヤ７２と噛合っており、第１搬送用モータ７１から回転駆動力が伝達されて回転する。これにより、第１搬送用モータ７１の回転駆動力が複数のギヤ２８０を介して搬送ローラ６０、排紙ローラ６２に伝達される。複数のギヤ２８０のうち、最も前方に設けられるギヤ２８０が、ギヤ２９０と噛合っている。これにより、ギヤ２９０は、第１搬送用モータ７１の回転駆動力が伝達され、回転可能である。ギヤ２９０は、第１伝達ギヤ２５０と噛合っており、第１伝達ギヤ２５０は、反転ローラ４５の回転軸に軸支されるギヤ７３と噛合う。これにより、反転ローラ４５には、ギヤ２８０、ギヤ２９０、第１伝達ギヤ２５０を介して第１搬送用モータ７１の回転駆動力が伝達される。本実施形態では、図４に示されるように、第１搬送用モータ７１を正転させると搬送ローラ６０は逆転し、排紙ローラ６２、及び反転ローラ４５は正転する。そして、第１搬送用モータ７１を逆転させると搬送ローラ６０は正転し、排紙ローラ６２、及び反転ローラ４５は、それぞれ逆転する。つまり、搬送ローラ６０、排紙ローラ６２、及び反転ローラ４５は、第１搬送用モータ７１が正転するときに記録用紙を第１搬送向き３３に搬送するように回転し、第２搬送用モータ７１が逆転するときに記録用紙を第１搬送向き３３と反対向きに搬送するように回転する。
【００６３】
［第１伝達ギヤ２５０］
図４に示されるように、第１伝達ギヤ２５０は、回転軸２５５に軸支されており、回転軸２５５と一体に回転する。回転軸２５５は、プリンタ部１１の図示しないフレームに挿通されることで支持されている。フレームには、回転軸２５５が挿通される孔が設けられており、回転軸２５５は当該孔に挿通されることでフレームに支持される。また、孔は略上下方向７に延びる長穴であり、回転軸２５５が長穴に沿って移動することによって、第１伝達ギヤ２５０は、図５に破線で示される第１位置と、図５に実線で示される第２位置との間を移動可能である。図５に示されるように、第１位置は、第１伝達ギヤ２５０がギヤ２９０及びギヤ７３と噛合う位置であり、第２位置は、第１伝達ギヤ２５０がギヤ７３から離間して、ギヤ２９０とのみ噛合う位置である。つまり、第１伝達ギヤ２５０は、第１位置に位置するとき、ギヤ７３と噛合うことで第１搬送用モータ７１の回転駆動力を反転ローラ４５に伝達し、第２位置に位置するとき、ギヤ７３から離間することで、第１搬送用モータ７１の回転駆動力を反転ローラ４５に伝達しない。第１伝達ギヤ２５０の第１位置と第２位置との間の移動は、後述する第２伝達部４００によって行われる。
【００６４】
［第１移動部材３２０］
図４に示されるように、第１移動部材３２０が、第１伝達ギヤ２５０の回転軸２５５と連結されることで、第１伝達ギヤ２５０に取り付けられている。第１移動部材３２０は、前後方向８に延出する平板形状の部材であり、第１伝達ギヤ２５０に取り付けられることで、第１伝達ギヤ２５０の第１位置と第２位置との間の移動に伴い、第１伝達ギヤ２５０と一体に移動する。第１移動部材３２０の下面には、コイルバネ３３０が固定されている。コイルバネ３３０は、上方側の一端が第１移動部材３２０に固定され、下方側の一端がプリンタ部の図示しないフレームに固定される。コイルバネ３３０は、弾性力によって第１移動部材３２０を上方側へ付勢しており、コイルバネ３３０の付勢力により、第１伝達ギヤ２５０が第２位置から第１位置に付勢される。第１移動部材３２０は、後述する第２移動部材３１０に押圧されることによって、コイルバネ３３０の付勢力に反して下方へ付勢され、図４に示される位置から図５に示される位置に移動する。第１伝達ギヤ２５０は、第１移動部材３２０の下方への移動に伴い、第１位置から第２位置に移動する。
【００６５】
［第２伝達部４００］
図４、図５に示されるように、反転ローラ４５は、第２伝達部４００によって第２搬送用モータ７２の回転駆動力が伝達される。第２伝達部４００は、複数のギヤ２７０、ギヤ２６０、ギヤ２６０と噛合う第２伝達ギヤ２４０、及び第２移動部材３１０から構成されている。複数のギヤ２７０はそれぞれが噛合って連結されており、第２搬送用モータ７２の回転駆動力が伝達されて回転する。複数のギヤ２７０のうち、最も後方に設けられたギヤ２７０が、ギヤ２６０と噛合っている。これにより、ギヤ２６０は、複数のギヤ２７０を介して第２搬送用モータ７２の回転駆動力が伝達されて回転する。ギヤ２６０は、回転軸２６５がプリンタ部１１の図示しないフレームに挿通されることで、位置が固定される。
【００６６】
［第２伝達ギヤ２４０］
第２伝達ギヤ２４０は、ギヤ２６０と噛合っている。これにより、第２伝達ギヤ２４０には、複数のギヤ２７０及びギヤ２６０を介して第２搬送用モータ７２の回転駆動力が伝達される。第２伝達ギヤ２４０は、ギヤ２６０の外周面上を、ギヤ２６０と噛合った状態で回転移動可能な遊星ギヤであり、ギヤ２６０が正転することによって、矢印３６（図５参照）の向きに回転移動し、ギヤ２６０が逆転することによって、矢印３５（図５参照）の向きに回転移動する。つまり、第２伝達ギヤ２４０は、ギヤ２６０が正逆転することによって、図５に実線で示される第３位置と、図５に破線で示される第４位置との間を移動可能である。図５に示されるように、第３位置は、第２伝達ギヤ２４０がギヤ２６０及びギヤ７３と噛合う位置であり、第４位置は、第２伝達ギヤ２４０がギヤ７３から離間して、ギヤ２６０とのみ噛合う位置である。つまり、第２伝達ギヤ２４０は、第３位置に位置するとき、ギヤ７３と噛合うことで第２搬送用モータ７２の回転駆動力を反転ローラ４５に伝達し、第４位置に位置するとき、ギヤ７３から離間することで、第２搬送用モータ７２の回転駆動力を反転ローラ４５に伝達しない。
【００６７】
［第２移動部材３１０］
図４に示されるように、第２移動部材３１０が、第２伝達ギヤ２４０の回転軸２４５及びギヤ２６０の回転軸２６５と連結されることで、第２伝達ギヤ２４０及びギヤ２６０に取り付けられている。第２移動部材３１０は、略Ｌ字形状に形成されており、第２伝達ギヤ２４０の第３位置と第４位置との間の移動に伴い、ギヤ２６０の回転軸２６５を中心として回動可能である。図５に示されるように、第２移動部材３１０は、第２伝達ギヤ２４０が第４位置から第３位置に移動することにより、矢印３１の向きに回動する。一方、第２伝達ギヤ２４０が第３位置から第４位置に移動することにより、矢印３２の向きに回動する。第２移動部材３１０は、矢印３１の向きに回動する過程において、第１移動部材３２０を押圧する。これにより、第２移動部材３１０は、第１移動部材３２０を下方に移動させる。そして、第１移動部材３２０が第２移動部材３１０によって押し下げられることで、第１伝達ギヤ２５０は、第１位置から第２位置に移動する。
【００６８】
本実施形態では、ギヤ２６０は、第２搬送用モータ７２が正転することで、複数のギヤ２７０を介して正転し、第２搬送用モータ７２が逆転することで、複数のギヤ２７０を介して逆転するように構成される。したがって、第２伝達ギヤ２４０は、第２搬送用モータ７２が逆転する、つまり、ギヤ２６０が逆転することで矢印３５の向きに回転移動し、第４位置から第３位置に移動する。このように、第２搬送用モータ７２が逆転すると、第２伝達ギヤ２４０が第４位置から第３位置に移動し、第２移動部材３１０が矢印３１の向きに回動する。そして、矢印３１の向きに回動する第２移動部材３１０によって押圧される第１移動部材３２０は、下方に移動し、第１伝達ギヤ２５０が矢印３３の向きに移動する。これにより、第１伝達ギヤ２５０は第１位置から第２位置に移動する。一方、第２伝達ギヤ２４０は、第２搬送用モータ７２が正転する、つまり、ギヤ２６０が正転することで矢印３６の向きに回転移動し、第３位置から第４位置に移動する。第２移動部材３１０は、第２伝達ギヤ２４０が第３位置から第４位置に移動することによって矢印３２の向きに回動する。これにより、第２移動部材３１０は第１移動部材３２０から離間し、第１移動部材３２０は、コイルバネ３３０の付勢力によって上方に移動し、第１伝達ギヤ２５０が矢印３４の向きに移動する。そして、矢印３４の向きに移動する第１伝達ギヤ２５０は、第２位置から第１位置に移動する。以上説明したように、第２搬送用モータ７２が逆転することによって、第２伝達ギヤ２４０は第４位置から第３位置に移動し、第２伝達ギヤ２４０の移動に伴って、第１伝達ギヤ２５０は第１位置から第２位置に移動する。また、第２搬送用モータ７２が正転することによって、第２伝達ギヤ２４０は第３位置から第４位置に移動し、第２伝達ギヤ２４０の移動に伴って、第１伝達ギヤ２５０は第２位置から第１位置に移動する。
【００６９】
図４に示されるように、反転ローラ４５は、第１伝達ギヤ２５０が第１位置に位置し、第２伝達ギヤ２４０が第４位置に位置する状態において、第１搬送用モータ７１の回転駆動力が伝達され、搬送ローラ６０及び排紙ローラ６２と同期して回転可能である。そして、図５に示されるように、第１伝達ギヤ２５０が第２位置に位置し、第２伝達ギヤ２４０が第３位置に位置する状態において、第１搬送用モータ７１の回転駆動力が伝達されず、第２搬送用モータ７２の回転駆動力が伝達される。これにより、反転ローラ４５は、搬送ローラ６０及び排紙ローラ６２の回転とは関係なく、回転可能である。
【００７０】
［連続両面記録処理］
以下、制御部１３０によって実行される連続両面記録処理の手順について説明する。なお、以下の説明において、第１伝達ギヤ２５０の初期位置は第１位置であり、第２伝達ギヤ２４０の初期位置は第４位置である、つまり、反転ローラ４５は第１搬送用モータ７１の回転駆動力が伝達されて回転可能な状態とする。
【００７１】
制御部１３０は、記録用紙への画像記録指示を操作部１７、或いは通信回線等を通じて取得する。ここで、画像記録指示には、画像記録処理の実行に必要な印刷情報が含まれる。印刷情報には、例えば、記録用紙に記録すべき画像（以下、「記録対象画像」と表記する）のページ数、記録対象画像の画像データ、画像データの解像度、記録用紙のサイズ、記録用紙の向き、及び裏面印刷の有無を示す情報が含まれる。制御部１３０は、印刷情報を参照し、複数枚の記録用紙に対して両面印刷を実行する画像記録指示を取得したと判断すると、図１６〜図１８のフローチャートに示される一連の連続両面記録処理を実行する。
【００７２】
制御部１３０は、画像記録指示を取得すると、まず第１用紙Ｐ１の給紙動作を実行する（Ｓ１０）。具体的には、制御部１３０は、給紙用モータ７０を正転させることで給紙ローラ２５を回転させ、給紙トレイ２０に積載された記録用紙束の最上位の記録用紙である第１用紙Ｐ１を湾曲路６５Ａに向かって給紙する。その後、制御部１３０は、用紙検知センサ１２０から出力される信号に基づいて、給紙ローラ２５によって給紙される第１用紙Ｐ１の先端が用紙検知センサ１２０に到達したか否かを判断する。制御部１３０は、第１用紙Ｐ１の先端が用紙検知センサ１２０に到達したと判断すると、第３ロータリーエンコーダ７６から出力される信号に基づいて給紙用モータ７０を所定回転量駆動し、第１用紙Ｐ１の先端を搬送ローラ６０とピンチローラ６１とによる挟持位置まで搬送する。制御部１３０は、給紙用モータ７０が所定量回転され、第１用紙Ｐ１の先端が搬送ローラ６０とピンチローラ６１とによる挟持位置まで搬送されたと判断すると、給紙用モータ７０の駆動を停止させ、第１用紙Ｐ１の給紙を終了する。
【００７３】
その後、制御部１３０は、第１用紙Ｐ１表面への記録処理を実行する（Ｓ２０）。具体的には、制御部１３０は、第１搬送用モータ７１を正転させ、搬送ローラ６０、排紙ローラ６２、及び反転ローラ４５によって第１用紙Ｐ１を第１搬送向き３３に搬送させつつ、キャリッジ駆動モータ１０３を制御してキャリッジ４０を駆動させる。これによって、記録部２４による第１用紙Ｐ１の表面への画像記録を実行する。図７に示されるように、Ｓ２０において、第１用紙Ｐ１は、搬送ローラ６０、排紙ローラ６２、及び反転ローラ４５によって挟持された状態で表面へ画像が記録される。つまり、第１用紙Ｐ１は、搬送ローラ６０、排紙ローラ６２、及び反転ローラ４５によって第１搬送向き３３に搬送されつつ、表面へ画像が記録される。本実施形態では、制御部１３０がＳ２０の処理を実行するとき、搬送ローラ６０、排紙ローラ６２、及び反転ローラ４５は第１搬送用モータ７１の回転駆動力が伝達されて回転する。各ローラを共通の第１搬送用モータ７１の駆動力によって回転させることで、画像記録を実行している間における第１用紙Ｐ１の第１搬送向き３３への搬送量がローラ間によってずれることがなく、高い搬送精度で第１用紙Ｐ１を搬送することができる。これにより、第１用紙Ｐ１に記録される画像の乱れを抑制することが可能である。
【００７４】
第１用紙Ｐ１表面への記録処理が終了すると、制御部１３０は、第１搬送用モータ７１を正転に回転させることで第１用紙Ｐ１を更に第１搬送向き３３に搬送する（Ｓ３０）。制御部１３０は、第１ロータリーエンコーダ７３から出力される信号に基づいて第１用紙Ｐ１の搬送量を算出し、第１用紙Ｐ１の後端が分岐部３６に到達するまで第１用紙Ｐ１を第１搬送向き３３に搬送する（Ｓ４０：ＮＯ）。そして、図８に示されるように、第１用紙Ｐ１の後端が分岐部３６まで搬送されたことを検知すると（Ｓ４０：ＹＥＳ）、制御部１３０は、第１切換動作を実行する（Ｓ５０）。具体的には、制御部１３０は、第１搬送用モータ７１の回転を停止させた後、第２搬送用モータ７２を逆転させる。上述したように、第２搬送用モータ７２を逆転させることで、第１伝達ギヤ２５０は第１位置から第２位置に移動し、第２伝達ギヤ２４０は第４位置から第３位置に移動する。これにより、図５に示されるように、第１伝達ギヤ２５０はギヤ７３から離間し、第２伝達ギヤ２４０はギヤ７３と噛合う。つまり、制御部１３０は、第１切換動作を実行することによって、第１伝達部３００及び第２伝達部４００を、第１搬送用モータ７１の回転駆動力を反転ローラ４５に伝達せず、第２搬送用モータ７２の回転駆動力を反転ローラ４５に伝達可能な状態に切換える。また、制御部１３０は、Ｓ３０及びＳ４０の処理において、第１用紙Ｐ１を分岐部３６まで搬送する間に、給紙用モータ７０を正転させて、第１用紙Ｐ１に後続する第２用紙Ｐ２を給紙トレイ２０から搬送ローラ６０及びピンチローラ６１による挟持位置まで給紙する（図８参照）。
【００７５】
第１切換動作を実行した後、制御部１３０は、第１同時動作を実行する（Ｓ６０）。具体的には、制御部１３０は、第１搬送用モータ７１を正転させ、且つ、第２搬送用モータ７２を逆転させることで、図６（ａ）に示されるように、搬送ローラ６０及び排紙ローラ６２を、記録用紙を第１搬送向き３３に搬送する方向に回転させ、反転ローラ４５を、記録用紙を第１搬送向き３３と反対向きに搬送する方向に回転させる。これにより、図９に示されるように、第１用紙Ｐ１は第２搬送路６７に沿って第２搬送向き３４に搬送され、第２用紙Ｐ２は、第１搬送向き３３に搬送される。更に、制御部１３０は、第１同時動作において、キャリッジ駆動モータ１０３を制御して第２用紙Ｐ２表面への記録処理を並行して実行する。その後、制御部１３０は、第２ロータリーエンコーダ７５から出力される信号に基づいて反転ローラ４５による第１用紙Ｐ１の搬送量を算出し、第１用紙Ｐ１の第２搬送向き３４の下流側の端部が両面搬送ローラ６８及び従動ローラ６９による挟持位置まで到達したことを検知すると、給紙用モータ７０を逆転させる。これにより、制御部１３０は、第１用紙Ｐ１を、反転ローラ４５及び両面搬送ローラ６８の両ローラによって第２搬送向き３４に搬送する。そして、制御部１３０は、第２ロータリーエンコーダ７５及び第３ロータリーエンコーダ７６から出力される信号に基づいて、反転ローラ４５及び両面搬送ローラ６８による第１用紙Ｐ１の搬送量を算出し、第１用紙Ｐ１の第２搬送向き３４の上流側の端部が反転ローラ４５を通過するまで、第１用紙Ｐ１を第２搬送向き３４に搬送する（Ｓ７０：ＮＯ）。
【００７６】
第１用紙Ｐ１の第２搬送向き３４の上流側の端部が反転ローラ４５を通過したことを検知すると（Ｓ７０：ＹＥＳ）、制御部１３０は、第２切換動作を実行する（Ｓ８０）。具体的には、制御部１３０は、第１搬送用モータ７１の回転を停止させた後、第２搬送用モータ７２を正転させる。上述したように、第２搬送用モータ７２を正転させることで、第１伝達ギヤ２５０は第２位置から第１位置に移動し、第２伝達ギヤ２４０は第３位置から第４位置に移動する。これにより、図４に示されるように、第１伝達ギヤ２５０はギヤ７３と噛合い、第２伝達ギヤ２４０はギヤ７３から離間する。つまり、制御部１３０は、第２切換動作を実行することによって、第１伝達部３００及び第２伝達部４００を、第１搬送用モータ７１の回転駆動力を反転ローラ４５に伝達可能であり、第２搬送用モータ７２の回転駆動力を反転ローラ４５に伝達しない状態に切換える。その後、制御部１３０は、給紙用モータ７０を逆転させ、両面搬送ローラ６８によって第１用紙Ｐ１を第２搬送向き３４に搬送させる（Ｓ９０）。制御部１３０は、第３ロータリーエンコーダ７６から出力される信号に基づいて、両面搬送ローラ６８による第１用紙Ｐ１の搬送量を算出し、第１用紙Ｐ１が、第２搬送路６７上の所定位置である待機位置に到達するまで第１用紙Ｐ１を第２搬送向き３４に搬送する（Ｓ１００：ＮＯ）。図１０に示されるように、第１用紙Ｐ１は、待機位置において、両面搬送ローラ６８及び従動ローラ６９によって挟持された状態で第２搬送路６７上に位置する。
【００７７】
第１用紙Ｐ１が待機位置まで搬送されたことを検知すると（Ｓ１００：ＹＥＳ）、制御部１３０は、給紙用モータ７０の回転を停止させ、両面搬送ローラ６８の回転を停止させる（Ｓ１１０）。その後、図１０に示されるように、第１用紙Ｐ１を待機位置で待機させた状態において、第２用紙Ｐ２表面への画像記録を完了させる（Ｓ１２０）。Ｓ１２０の処理において、第２用紙Ｐ２は、図１０に示されるように、搬送ローラ６０、排紙ローラ６２、及び反転ローラ４５によって挟持された状態で表面へ画像が記録される。つまり、第２用紙Ｐ２は、搬送ローラ６０、排紙ローラ６２、及び反転ローラ４５によって第１搬送向き３３に搬送されつつ、表面へ画像が記録される。本実施形態では、Ｓ８０において第２切換動作が実行されるため、制御部１３０がＳ１２０の処理を実行するとき、搬送ローラ６０、排紙ローラ６２、及び反転ローラ４５は第１搬送用モータ７１の回転駆動力が伝達されて回転する。各ローラを共通の第１搬送用モータ７１の駆動力によって回転させることで、画像記録を実行している間における第２用紙Ｐ２の第１搬送向き３３への搬送量がローラ間によってずれることがなく、高い搬送精度で第２用紙Ｐ２を搬送することができる。これにより、第２用紙Ｐ２表面に記録される画像の乱れを抑制することが可能である。
【００７８】
第２用紙Ｐ２表面への画像記録が完了すると、制御部１３０は、第１用紙Ｐ１を待機位置に待機させた状態で、搬送ローラ６０、排紙送ローラ６２、及び反転ローラ４５によって第２用紙Ｐ２を、更に第１搬送向き３３に搬送する（Ｓ１３０）。Ｓ４０と同様に、第２用紙Ｐ２の後端が分岐部３６に到達するまで第２用紙Ｐ２を第１搬送向き３３に搬送し（Ｓ１４０：ＮＯ）、図１１に示されるように、第２用紙Ｐ２が分岐部３６まで搬送されたことを検知すると（Ｓ１４０：ＹＥＳ）、制御部１３０は、第１切換動作を実行する（Ｓ１５０）。Ｓ１５０における第１切換動作は、Ｓ５０における第１切換動作と同様であり、第１伝達部３００及び第２伝達部４００を、第１搬送用モータ７１の回転駆動力を反転ローラ４５に伝達せず、第２搬送用モータ７２の回転駆動力を反転ローラ４５に伝達可能な状態に切換える。Ｓ１５０において第１切換動作を実行した後、制御部１３０は、第１用紙Ｐ１のレジスト動作を実行する（Ｓ１６０）。具体的には、制御部１３０は、第２搬送用モータ７２の回転を停止した状態で、第１搬送用モータ７１を所定回転量、逆転させる。これにより、図６（ｂ）に示されるように、搬送ローラ６０は、記録用紙を第１搬送向き３３と反対向きに搬送する方向に回転する。このとき、第２搬送用モータ７２の回転を停止させることにより、反転ローラ４５は回転せず、停止する。更に、制御部１３０は、給紙用モータ７０を逆転させて両面搬送ローラ６８を駆動させ、第１用紙Ｐ１を、合流部３７を介して搬送ローラ６０及びピンチローラ６１による挟持位置へ搬送する。このとき、搬送ローラ６０は、記録用紙を第１搬送向き３３と反対向きに搬送する方向に回転しているため、図１２に示されるように、搬送ローラ６０及びピンチローラ６１による挟持位置に搬送される第１用紙Ｐ１は、当該挟持位置に突き当てられる。これにより、第１用紙Ｐ１の斜行が補正され、第１用紙Ｐ１を安定した姿勢で第１搬送向き３３に搬送することができる。
【００７９】
その後、制御部１３０は、第２同時動作を実行する（Ｓ１７０）。具体的には、制御部１３０は、第１搬送用モータ７１を正転させ、第２搬送用モータ７２を逆転させる。これにより、図１３に示されるように、第２用紙Ｐ２を第２搬送路６７に沿って第２搬送向き３４に搬送させつつ、第１用紙Ｐ１を第１搬送向き３３に搬送する。制御部１３０は、第２同時動作において、キャリッジ駆動モータ１０３を制御してキャリッジ４０を移動させ、記録部２４による第１用紙Ｐ１裏面への画像記録を並行して実行する。その後、制御部１３０は、第２用紙Ｐ２の第２搬送向き３４の上流側の端部が反転ローラ４５を通過するまで第２用紙Ｐ２を第２搬送向き３４に搬送し（Ｓ１８０：ＮＯ）、第２用紙Ｐ２の第２搬送向き３４の上流側の端部が反転ローラ４５を通過したことを検知すると（Ｓ１８０：ＹＥＳ）、第２切換動作を実行する（Ｓ１９０）。Ｓ１９０における第２切換動作は、Ｓ８０における第２切換動作と同様であり、第１伝達部３００及び第２伝達部４００を、第１搬送用モータ７１の回転駆動力を反転ローラ４５に伝達可能であり、第２搬送用モータ７２の回転駆動力を反転ローラ４５に伝達しない状態に切換える。
【００８０】
その後、制御部１３０は、給紙用モータ７０を逆転させ、両面搬送ローラ６８によって第２用紙Ｐ２を第２搬送向き３４に搬送する（Ｓ２００）。そして、第２用紙Ｐ２が第２搬送路６７の待機位置に到達するまで第２用紙Ｐ２を第２搬送向き３４に搬送し、（Ｓ２１０：ＮＯ）、図１４に示されるように、第２用紙Ｐ２が待機位置に到達したことを検知すると（Ｓ２１０：ＹＥＳ）、制御部１３０は、給紙用モータ７０の回転を停止させ、両面搬送ローラ６８の回転を停止させる（Ｓ２２０）。
【００８１】
そして、制御部１３０は、次用紙へ記録すべき画像があるか判断し（Ｓ２３０）、次用紙へ記録すべき画像があると判断した場合（Ｓ２３０：ＹＥＳ）、第３同時動作を実行する（Ｓ２８０）。具体的には、第１搬送用モータ７１及びキャリッジ駆動モータ１０３を回転させて、搬送ローラ６０、排紙ローラ６２、及び反転ローラ４５によって、第１用紙Ｐ１を第１搬送向き３３に搬送させて第１用紙Ｐ１裏面への画像記録、及び第１用紙Ｐ１の排紙トレイ２１への排紙動作を行いながら、給紙用モータ７０を正転させて給紙トレイ２０から、第３用紙Ｐ３を搬送ローラ６０及びピンチローラ６１による挟持位置まで給紙する（図１５参照）。第３同時動作において、両面搬送ローラ６８の回転は停止され、第２用紙Ｐ２は、図１５に示されるように、待機位置に待機している。その後、第２用紙Ｐ２を待機位置に待機させた状態で、第３用紙Ｐ３表面への画像記録を完了させ（Ｓ２９０）、画像記録が完了すると、第３用紙Ｐ３を第１搬送向き３３に更に搬送する（Ｓ３００）。第３用紙Ｐ３の第１搬送向き３３の上流側の端部が分岐部３６に到達するまで第３用紙Ｐ３を第１搬送向き３３に搬送させ（Ｓ３１０：ＮＯ）、第３用紙Ｐ３の第１搬送向き３３の上流側の端部が分岐部３６まで搬送されたことを検知すると（Ｓ３１０：ＹＥＳ）、制御部１３０は、Ｓ１６０の処理に戻る。なお、Ｓ１６０に戻った後の処理において、第２用紙Ｐ２がフローチャートにおける第１用紙に対応し、第３用紙Ｐ３がフローチャートにおける第２用紙に対応する。
【００８２】
一方、Ｓ２３０において、次用紙へ記録すべき画像がない場合（Ｓ２３０：ＮＯ）、図１４に示されるように、第２用紙Ｐ２を第２搬送路６７の待機位置に待機させた状態で、第１用紙Ｐ１裏面の画像記録を行い（Ｓ２４０）、その後、第１用紙Ｐ１を排紙トレイ２１に排紙する（Ｓ２５０）。そして、第２用紙Ｐ２裏面への画像記録を実行し（Ｓ２６０）、第１用紙Ｐ１に続いて第２用紙Ｐ２を排紙トレイ２１に排紙する（Ｓ２７０）。その後、すべてのモータの回転を停止させ、連続両面記録処理を終了させる。
【００８３】
［実施形態の効果］
本実施形態によれば、記録用紙を第１搬送向き３３に搬送し、記録部２４による画像記録を行うときは、搬送ローラ６０、排紙ローラ６２、及び反転ローラ４５は、第１搬送用モータ７１の回転駆動力が伝達されて回転する。これにより、各ローラ間において同じ搬送量で記録用紙を第１搬送向き３３に搬送することができ、記録部２４によって記録用紙に記録される画像が乱れることを抑制することができる。また、第１用紙Ｐ１及び第２用紙Ｐ２の一方の記録用紙を搬送ローラ６０及び排紙ローラ６２によって第１搬送向き３３に搬送させながら、もう一方の記録用紙を反転ローラ４５によって第２搬送向き３４に搬送するときは、反転ローラ４５は第２搬送用モータ７２の回転駆動力が伝達されて回転する。これにより、搬送ローラ６０、及び排紙ローラ６２の回転とは関係なく反転ローラ４５を回転することができるため、反転ローラ４５を回転させるタイミングに制約が生じず、連続両面記録処理を高速化することができる。
【００８４】
［変形例１］
本実施形態では、第２移動部材３１０が第１移動部材３２０を押圧することにより、第１伝達ギヤ２５０を第１位置から第２位置に移動させ、コイルバネ３３０の付勢力によって第１伝達ギヤ２５０を第２位置から第１位置に移動させていた。しかし、図１９に示されるように、第１伝達ギヤ２５０及び第２伝達ギヤ２４０の２つを保持する第３移動部材５００を設けて、第３移動部材５００を回動させることによって第１伝達ギヤ２５０を第１位置と第２位置との間を移動可能なように構成してもよい。第３移動部材５００は、第１伝達ギヤ２５０の回転軸２５５及び第２伝達ギヤ２４０の回転軸２４５と連結されることで、第１伝達ギヤ２５０及び第２伝達ギヤ２４０を保持している。また、ギヤ２６０の回転軸２６５と連結されることで、回転軸２６５を中心に回動可能である。図１９（ａ）に示されるように、第３移動部材５００は、第２伝達ギヤ２４０が第４位置に位置するときは、第１伝達ギヤ２５０を第１位置となるように保持しており、第２伝達ギヤ２４０が第４位置から第３位置に移動すると、回転軸２６５を中心に回動し、図１９（ｂ）に示されるように、第１伝達ギヤ２４０を、ギヤ７３から離間した位置となるように保持する。このように、変形例１では、第１伝達ギヤ２５０の移動を簡易な構成によって実現できるため、部品点数の削減、低コスト化を図ることができる。
【００８５】
［変形例２］
また、本実施形態では、第１移動部材３２０をコイルばね３３０によって上方に付勢し、第１伝達ギヤ２５０を第２位置から第１位置に付勢していた。しかし、図２０に示されるように、ソレノイド５１０によって、第１移動部材３２０を上方に付勢する構成としてもよい。ソレノイド５１０は、公知のソレノイドであり、電磁コイルに電流が流れることによって発生する磁力によって、可動体５２０を上下方向７に直線運動させる。図２０（ｂ）に示されるように、第１移動部材３２０が第２移動部材３１０によって押圧される状態では、ソレノイド５１０を駆動させて可動体５２０を第１移動部材３２０から退避させる。これにより、第１移動部材３２０が第２移動部材３１０に押圧されることで押し上げられ、第１伝達ギヤ２５０が第１位置から第２位置に移動する。一方、第２伝達ギヤ２４０が第４位置に位置するときは、図２０（ａ）に示されるように、ソレノイド５１０を駆動させて可動体５２０を上方に突出させて第１移動部材３２０に当接させ、第１移動部材３２０を上方へ押圧し、第１伝達ギヤ２５０を第２位置から第１位置に移動させる。このように、ソレノイド５１０を用いることによっても、第１伝達ギヤ２５０を第１位置と第２位置との間を移動させることが可能である。
【００８６】
［変形例３］
本実施形態では、第２伝達部４００において、第２搬送用モータ７２を逆転させることで第２伝達ギヤ２４０を第４位置から第３位置に移動させ、第２搬送用モータ７２を正転させることで第２伝達ギヤ２４０を第３位置から第４位置に移動させていた。しかし、第１搬送用モータ７２の回転方向は、これに限定されない。つまり、第２搬送用モータ７２の回転駆動力を第２伝達ギヤ２４０に伝達するギヤの数を調整し、第２搬送用モータ７２を正転させることで第２伝達ギヤ２４０を第４位置から第３位置に移動させ、第２搬送用モータ７２を逆転させることで第２伝達ギヤ２４０を第３位置から第４位置に移動させるような構成としてもよい。
【００８７】
［変形例４］
本実施形態では、第２搬送用モータ７２を回転させることで、第１伝達ギヤ２５０及び第２伝達ギヤ２４０の位置を移動させていた。しかし、第２搬送用モータ７２以外の駆動源で第１伝達ギヤ２５０及び第２伝達ギヤ２４０を移動させるような構成としてもよい。例えば、第１伝達ギヤ２５０を、第２伝達ギヤ２４０と同様に遊星ギヤとし、第１搬送用モータ７１の正逆転によって第１伝達ギヤ２５０を第１位置と第２位置との間を移動可能としてもよい。更に、変形例１において示した第３移動部材５００を設け、第１搬送用モータ７１を回転させたときの第１伝達ギヤ２５０の移動に連動し、第２伝達ギヤ２４０が第３位置と第４位置との間を移動するようにしてもよい。また、変形例１において示した第３移動部材５００を回動させるための専用の駆動モータを設け、当該駆動モータを回転させることで第３移動部材５００を回動させ、第１伝達ギヤ２５０及び第２伝達ギヤ２４０を移動させるようにしてもよい。
【００８８】
［変形例５］
本実施形態では、コイルバネ３３０によって第１移動部材３２０を付勢する構成としていたが、コイルバネ３３０に限らず、弾性ゴムや板バネで第１移動部材３２０を付勢する構成としてもよい。
【００８９】
［変形例６］
本実施形態では、第２移動部材３１０は、ギヤ２６０の回転軸２６５と連結し、回転軸２６５を中心に回動可能であった。しかし、第２移動部材３１０は必ずしも回転軸２６５と連結されている必要はなく、プリンタ部１１のフレームに対して回動可能なように取り付けられ、フレームとの連結部分を中心に回動可能な構成としてもよい。このような構成においても、第２移動部材３１０を第２伝達ギヤ２４０の第４位置から第３位置への移動に連動して回動させ、第１移動部材３２０を、第１伝達ギヤ２５０が第１位置から第２位置に移動するように押圧することが可能である。
【００９０】
［変形例７］
本実施形態では、制御部１３０が実行する処理として、複数枚の記録用紙の両面に画像を記録する連続両面記録処理を挙げたが、制御部１３０が実行する処理は、これに限定されない。例えば、複数枚の記録用紙に対して片面記録処理を行う場合、排紙トレイ２１に排紙されたときに、画像が記録された面が下面となるように、第１面に画像が記録された複数枚の記録用紙を第２搬送路６７に搬送させて姿勢を反転させて排紙する、連続反転記録処理を実行するような構成としてもよい。また、連続反転記録処理と連続両面記録処理を組み合わせた記録処理を実行するような構成としてもよい。
【００９１】
［変形例８］
本実施形態では、給紙用モータ７０の回転駆動力によって両面搬送ローラ６８を駆動させていた。しかし、両面搬送ローラ６８を駆動させる駆動源は、給紙用モータ７０に限定されない。例えば、複数のギヤから構成される駆動伝達部（不図示）によって第２搬送用モータ７２の回転駆動力が両面搬送ローラ６８に伝達されるようにしてもよい。この場合、第２搬送用モータ７２が正逆どちらの方向に回転しても両面搬送ローラ６８は逆転するように駆動伝達部を構成することで、制御部１３０は、本実施形態で説明した連続両面記録処理を実行することが可能である。
【００９２】
第１搬送路６５が、本発明の第１搬送路の一例である。記録部２４が、本発明の記録部の一例である。第１搬送向き３３が、本発明の第１搬送向きの一例である。分岐部３６が、本発明の分岐位置の一例である。合流部３７が、本発明の合流位置の一例である。第２搬送向き３４が、本発明の第２搬送向きの一例である。第２搬送路６７が、本発明の第２搬送路の一例である。搬送ローラ６０、又は排紙ローラ６２が、本発明の第１搬送ローラの一例である。反転ローラ４５が、本発明の第２搬送ローラの一例である。両面搬送ローラ６８が、本発明の第３搬送ローラの一例である。従動ローラ６９が、本発明の従動ローラの一例である。給紙ローラ２５が、本発明の給紙ローラの一例である。第１搬送用モータ７１が、本発明の第１モータの一例である。第２搬送用モータ７２が、本発明の第２モータの一例である。給紙用モータ７０が、本発明の第３モータ及び駆動部の一例である。また、変形例８では、給紙用モータ７０が、本発明の駆動部の一例である。給紙トレイ２０が、本発明の収容部の一例である。制御部１３０が、本発明の制御部の一例である。第１用紙Ｐ１が、本発明の第１の被記録媒体の一例である。第２用紙Ｐ２が、本発明の第２の被記録媒体の一例である。連続両面記録処理が、本発明の連続記録処理の一例である。また、変形例７では、連続反転記録処理が、本発明の連続記録処理の一例である。第１伝達部３００及び第２伝達部４００の組み合わせが、本発明の伝達機構の一例である。第１伝達部３００において、第１伝達ギヤ２５０が第１位置であり、且つ、第２伝達部４００において、第２伝達ギヤ２４０が第４位置である状態が、本発明の第１状態の一例である。第１伝達部３００において、第１伝達ギヤ２５０が第２位置であり、且つ、第２伝達部４００において、第２伝達ギヤ２４０が第３位置である状態が、本発明の第２状態の一例である。用紙検知センサ１２０、第１ロータリーエンコーダ７３、第２ロータリーエンコーダ７５、第３ロータリーエンコーダ７６、制御部１３０、及び制御部１３０によって実行されるＳ４０、Ｓ７０、Ｓ１００、Ｓ１４０、Ｓ１８０、Ｓ２１０、Ｓ３１０の処理の組み合わせが、本発明の検知部の一例である。制御部１３０と、制御部１３０により実行されるＳ２０及びＳ３０の処理の組み合わせが、本発明の第１処理の一例である。制御部１３０と、制御部１３０により実行されるＳ４０〜Ｓ８０の処理の組み合わせが、本発明の第２処理の一例である。制御部１３０と、制御部１３０により実行されるＳ９０〜Ｓ１３０の処理の組み合わせが、本発明の第３処理の一例である。制御部１３０により実行されるＳ１４０〜Ｓ１６０の処理の組み合わせが、本発明の第４処理の一例である。第１伝達ギヤ２５０が、本発明の第１ギヤの一例である。第１伝達部３００が、本発明の第１伝達部の一例である。第２伝達部４００が、本発明の第２伝達部の一例である。第１伝達部３００において、第１伝達ギヤ２５０が第１位置に位置する状態が、本発明の第１位置である。第１伝達部３００において、第１伝達ギヤ２５０が第２位置に位置する状態が、本発明の第２位置の一例である。ギヤ２６０が、本発明の伝達ギヤの一例である。第２伝達ギヤ２４０が、本発明の第２ギヤの一例である。第２伝達部４００において、第２伝達ギヤ２４０が第３位置に位置する状態が、本発明の第３位置の一例である。第２伝達部４００において、第２伝達ギヤ２４０が第４位置に位置する状態が、本発明の第４位置の一例である。第１移動部材３２０は、本発明の被当接部の一例である。第２移動部材３１０は、本発明の当接部の一例である。コイルバネ３３０は、本発明の付勢部材の一例である。
【００９３】
［符号の説明］
１０・・・・・・・・・・複合機
２０・・・・・・・・・・給紙トレイ
２４・・・・・・・・・・記録部
２５・・・・・・・・・・給紙ローラ
３３・・・・・・・・・・第１搬送向き
３４・・・・・・・・・・第２搬送向き
３６・・・・・・・・・・分岐部
３７・・・・・・・・・・合流部
４５・・・・・・・・・・反転ローラ
６０・・・・・・・・・・搬送ローラ
６２・・・・・・・・・・排紙ローラ
６５・・・・・・・・・・第１搬送路
６７・・・・・・・・・・第２搬送路
６８・・・・・・・・・・両面搬送ローラ
６９・・・・・・・・・・従動ローラ
７０・・・・・・・・・・給紙用モータ
７１・・・・・・・・・・第１搬送用モータ
７２・・・・・・・・・・第２搬送用モータ
７３・・・・・・・・・・第１ロータリーエンコーダ
７５・・・・・・・・・・第２ロータリーエンコーダ
７６・・・・・・・・・・第３ロータリーエンコーダ
１３０・・・・・・・・・制御部
２４０・・・・・・・・・第２伝達ギヤ
２５０・・・・・・・・・第１伝達ギヤ
３００・・・・・・・・・第１伝達部
３１０・・・・・・・・・第２移動部材
３２０・・・・・・・・・第１移動部材
４００・・・・・・・・・第２伝達部
【図１】
2018171727.tif 000003
【図２】
2018171727.tif 000004
【図３】
2018171727.tif 000005
【図４】
2018171727.tif 000006
【図５】
2018171727.tif 000007
【図６】
2018171727.tif 000008
【図７】
2018171727.tif 000009
【図８】
2018171727.tif 000010
【図９】
2018171727.tif 000011
【図１０】
2018171727.tif 000012
【図１１】
2018171727.tif 000013
【図１２】
2018171727.tif 000014
【図１３】
2018171727.tif 000015
【図１４】
2018171727.tif 000016
【図１５】
2018171727.tif 000017
【図１６】
2018171727.tif 000018
【図１７】
2018171727.tif 000019
【図１８】
2018171727.tif 000020
【図１９】
2018171727.tif 000021
【図２０】
2018171727.tif 000022